(57)【要約】【課題】電話機の機種、種別等に依存することなく、既存の電話機を介して測定データを簡単な操作で管理センタに送信する。【解決手段】酒気帯び検知器1は、ガスセンサ１５と、スピーカ１８と、音声信号発生モジュール１９とを備える。酒気帯び検知器1のＣＰＵ１１は、操作ボタン１６から測定操作が入力されると、センサ制御プログラム１４ａによりガスセンサ１５において呼気中のアルコール濃度を測定し、この測定により得られた測定データを取得する。そして、ＣＰＵ１１は、音声信号出力プログラム１４ｂを実行して、音声信号発生モジュール１９により上記測定データを音声信号に変換し、変換された音声信号をスピーカ１８から拡声出力するものである。【選択図】図３
2006302016.tif 000002
【特許請求の範囲】
【請求項１】
測定指示入力に応じて被検対象の状態を測定する測定手段と、
前記測定手段で得られる測定データを格納し、送信指示入力に応じて読み出し出力する測定データ格納手段と、
前記読み出し出力される測定データを音声信号に変換し、拡声出力する拡声出力手段と
を具備することを特徴とする携帯型測定装置。
【請求項２】
前記測定データが表す状態に応じた分類毎に音パターンが予め用意され、前記測定データが得られたとき該当する音パターンを選択的に再生して分類内容を測定結果として通知する測定結果通知手段
をさらに具備することを特徴とする請求項１記載の携帯型測定装置。
【請求項３】
前記拡声出力手段は、前記音声信号による拡声出力を複数回実行することを特徴とする請求項１記載の携帯型測定装置。
【請求項４】
前記測定手段は、被検対象の呼気中に含まれるアルコール濃度を測定するガスセンサを備え、
前記測定結果通知手段は、少なくともアルコール検出の有無を前記音パターンで判別提示することを特徴とする請求項２記載の携帯型測定装置。
【請求項５】
携帯型測定装置と、電話機と、前記電話機と電話回線網を介して通話する通話機能を有するセンタ装置とを具備し、
前記携帯型測定装置は、測定指示入力に応じての被検対象の状態を測定する測定手段と、前記測定手段で得られる測定データを格納し、送信指示入力に応じて読み出し出力する測定データ格納手段と、前記読み出し出力される測定データを音声信号に変換し、拡声出力する拡声出力手段とを備え、
前記センタ装置は、前記電話機を通じて前記携帯型測定装置から送信される音声信号を受信する受信手段と、前記受信される音声信号から測定データを認識するデータ認識手段とを備えることを特徴とする測定結果収集システム。
【請求項６】
前記センタ装置は、さらに、前記電話機との通話接続時に前記音声信号による測定データの送信を開始させるためのガイダンスを通知するガイダンス通知手段を備えることを特徴とする請求項５記載の測定結果収集システム。
【請求項７】
携帯型測定装置と、電話機と、前記電話機と電話回線網を介して通話する通話機能を有するセンタ装置とを具備する測定結果収集システムに適用され、
前記携帯型測定装置は、測定指示入力に応じて被検対象の状態を測定する測定過程と、前記測定過程で得られる測定データを格納し、送信指示入力に応じて読み出し出力する測定データ格納過程と、前記読み出し出力される測定データを音声信号に変換し、前記電話機の送話口に拡声出力する拡声出力過程とを備え、
前記センタ装置は、前記電話機を通じて前記携帯型測定装置から送信される音声信号を受信する受信過程と、前記受信される音声信号から測定データを認識するデータ認識過程とを備えることを特徴とする測定結果収集方法。
【請求項８】
前記センタ装置は、さらに、前記電話機との通話接続時に前記音声信号による測定データの送信を開始させるためのガイダンスを通知するガイダンス通知過程を備えることを特徴とする請求項７記載の測定結果収集方法。
【発明の詳細な説明】
【技術分野】
【０００１】
この発明は、例えば、車両運転手に対する酒気帯び検査に用いられる携帯型測定装置及び測定結果収集システムと測定結果収集方法に関する。
【背景技術】
【０００２】
半導体ガスセンサを使用した小型な測定装置が様々な分野で使われている。一方、車両運転に際しての飲酒に伴う事故の発生が社会的に大きく注目されている。何人も酒気を帯びて車両を運転してはならないのは当然のことであるが、特に、職業運転手の場合は極めて高度なモラルが求められている。更には、車両運行会社には、単に運転手個人のモラルによるにとどまらず、組織として適正な管理を行う責務が強く求められている。
【０００３】
このような背景のもとに、酒気帯び運転を未然に防止するために利用する、半導体ガスセンサを用いた携帯型測定装置（酒気帯びチェッカ）及びこの携帯型測定装置とセンタ装置とを通信回線によって接続した管理システムなどが検討されている。例えば、携帯電話機にアルコールセンサを設け、通話の際に発せられた呼気中のアルコール濃度を測定して測定結果を報知する携帯電話機及び飲酒量警告システムが提案されている（例えば、特許文献１を参照。）。
【０００４】
【特許文献１】特開２００３−１１５９０２公報
【発明の開示】
【発明が解決しようとする課題】
【０００５】
しかしながら、現在利用されている携帯電話機は多機種にわたり、データ送受信に関する手順やキー操作等のインタフェースは、機種毎に異なっているのが現状である。また、新機種が続々と販売され、機能の追加等も頻繁に行われている。したがって、全ての携帯電話の機種に対応するように、アルコールセンサを設け、測定動作が可能なように改良するのは困難である。
【０００６】
この発明は、上記事情に着目してなされたもので、その目的とするところは、電話機の機種、種別等に依存することなく、既存の電話機を介して測定データを簡単な操作で管理センタに送信可能な携帯型測定装置及び測定結果収集システムと測定結果収集方法を提供することにある。
【課題を解決するための手段】
【０００７】
上記目的を達成するためにこの発明に係わる携帯型測定装置は、測定指示入力に応じて被検対象の状態を測定する測定手段と、上記測定手段で得られる測定データを格納し、送信指示入力に応じて読み出し出力する測定データ格納手段と、上記読み出し出力される測定データを音声信号に変換し、拡声出力する拡声出力手段とを具備するようにしたものである。  
このように構成すると、電話機の機種、種別等に依存することなく、既存の電話機を介して測定データを簡単な操作で管理センタに送信することが可能となる。
【０００８】
また、この発明は、次のような各種構成を備えることを特徴とする。  
第１の構成は、上記測定データが表す状態に応じた分類毎に音パターンが予め用意され、上記測定データが得られたとき該当する音パターンを選択的に再生して分類内容を測定結果として通知する。このようにすると、単純に測定データを提示した場合と比べ、測定結果を的確に把握させることができる。例えば、酒気帯び検知器として使用した場合は、呼気に含まれるアルコール濃度に応じて、アルコール未検出状態、酒気帯び状態、酒酔い状態などを音パターンで通知し、測定者に飲酒状態を確実に認識させることができる。
【０００９】
第２の構成は、上記拡声出力手段は、上記音声信号による拡声出力を複数回実行するように構成する。このように構成すると、例えば、周囲に多少の雑音がある場合でも、少ない操作で測定データをより確実に送信することが可能となる。
第３の構成は、上記測定手段は、被検対象の呼気中に含まれるアルコール濃度を測定するガスセンサを備え、上記測定結果通知手段は、少なくともアルコール検出の有無を上記音パターンで判別提示するようにする。このようにすると、例えば、車両運転手に対して酒気帯び検査を行い、測定結果を的確に把握させることができる。これにより、車両運転手の酒気帯び運転を防止することができ、飲酒事故の低減につながる。
【００１０】
また、この発明に係わる測定結果収集システムと測定結果収集方法は、携帯型測定装置と、電話機と、上記電話機と電話回線網を介して通話する通話機能を有するセンタ装置とを備え、上記携帯型測定装置は、測定指示入力に応じての被検対象の状態を測定する。そして、この測定により得られる測定データを格納して、送信指示入力に応じて読み出し出力する測定データ格納手段と、上記読み出し出力される測定データを音声信号に変換し、拡声出力する拡声出力手段とを備える。上記センタ装置は、上記電話機を通じて上記携帯型測定装置から送信される音声信号を受信して、上記受信される音声信号から測定データを認識するものである。
【００１１】
これにより、例えば、携帯電話機、固定電話機、公衆電話機及び構内交換電話機を使用して、携帯型測定装置による測定データをセンタ装置に送信することが可能である。このため、電話機の機種、種別に依存することなく、簡単に測定データを収集することができる。例えば、携帯電話機のデータ通信機能を用いる従来の方式と比較した場合、携帯電話機の機種により異なるキーインタフェースに依存することなく、既存の携帯電話機をそのまま用いることができる。
【００１２】
また、上記センタ装置が、さらに、上記電話機との通話接続時に上記音声信号による測定データの送信を開始させるためのガイダンスを通知するように構成する。このように構成すると、上記通知されるガイダンスにしたがって測定操作が行われるため、より確実に測定結果を収集することができる。
【発明の効果】
【００１３】
要するにこの発明によれば、電話機の機種、種別等に依存することなく、電話機を介して測定データを簡単な操作で管理センタに送信可能な携帯型測定装置及び測定結果収集システムと測定結果収集方法を提供することができる。
【発明を実施するための最良の形態】
【００１４】
図１は、この発明の一実施形態に係わる携帯型測定装置を用いた測定結果収集システムの概略図である。  
この測定結果収集システムは、携帯型測定装置である酒気帯び検知器１と、電話機２と、センタ装置３と、公衆電話網ＴＮを備え、電話機２とセンタ装置３とが、公衆電話網ＴＮを介して通話可能である。電話機２には、例えば、携帯電話機が用いられ、酒気帯び検知器１と電話機２は、車両運転手などの被験者に携帯されているものとする。一方、センタ装置３は、被験者に対して測定指示を行う管理センタ等に設置され、例えば、パーソナル・コンピュータにより構成される。センタ装置３は、上記電話機２を通じて酒気帯び検知器１から送信される音声信号を受信し、受信された音声信号から測定データを認識する機能を有する。また、センタ装置３は、上記電話機２を通じて被験者に測定を指示する音声ガイダンスを通知する。
【００１５】
図２は、酒気帯び検知器１の概要を示す図である。酒気帯び検知器１は、吹きかけられた呼気によりアルコール濃度を検出するガスセンサ１５と操作ボタン１６とを備える。操作ボタン１６は、長押しで電源のオン／オフ、電源オンの状態で、短押しすると測定開始、再度短押しすると測定終了操作となる。また、酒気帯び検知器1の状態を示す表示ランプとして、測定可能な状態を表すＲｅａｄｙランプ１７ａと、測定の完了を表す測定完了ランプ１７ｂと、測定失敗を表す測定エラーランプ１７ｃと、電源オン状態を表す電源ランプ１７ｄとを備える。さらに、酒気帯び検知器１は、音声を拡声出力するスピーカ１８とを備える。
【００１６】
図３は、酒気帯び検知器1の機能構成を示すブロック図である。酒気帯び検知器1は、主制御部としてマイクロプロセッサ等の中央処理ユニット（ＣＰＵ：Central Processing Unit）１１を備える。このＣＰＵ１１にバス１２を介して、データメモリ１３とプログラムメモリ１４とが接続され、さらに、センサインタフェース（センサＩ／Ｆ）１５１と、ユーザインタフェース（ユーザＩ／Ｆ）１６１と、音声出力インタフェース（音声出力Ｉ／Ｆ）１８１と音声信号発生モジュール１９とが接続されている。
【００１７】
センサＩ／Ｆ１５１には、ガスセンサ１５が接続され、センサＩ／Ｆ１５１は、ＣＰＵ１１制御の下、ガスセンサ１５から得られた測定データの入力を受け付ける。ユーザＩ／Ｆ１６１には、操作ボタン１６及び表示ランプ１７が接続され、ＣＰＵ１１は、ユーザＩ／Ｆ１６１により、操作ボタン１６からの操作情報の入力受け付けと、表示ランプ１７の点灯制御を行う。音声出力Ｉ／Ｆ１８１は、ＣＰＵ１１の制御の下、スピーカ１８から音声信号を拡声出力する。また、音声信号発生モジュール１９は、測定データを音響モデム方式により音声伝送帯域のモデム信号（音声信号）に変換する機能を有する。
【００１８】
データメモリ１３は、ＲＡＭやハードディスク等で構成され、音パターン記憶エリア１３ａを備える。音パターン記憶エリア１３ａには、測定結果を測定者に通知するための音パターンが記憶される。音パターンには、例えば、測定されたアルコール濃度に基づいて、アルコール未検出音、酒帯び状態音、酒酔い状態音等を表す複数の音パターンが含まれる。また、データメモリ１３には、センサＩ／Ｆ１５１から取り込まれたガスセンサ１５の測定データが記憶される。
【００１９】
一方、プログラムメモリ１４には、この発明を実現するための制御プログラムとして、センサ制御プログラム１４ａと、音声信号出力プログラム１４ｂと、測定結果通知プログラム１４ｃとが格納される。センサ制御プログラム１４ａは、ガスセンサ１５に対してウォーミングアップ処理やアルコール濃度の測定処理などを実行させる。音声信号出力プログラム１４ｂは、上記ガスセンサ１５から取得された測定データを上記音声信号発生モジュール１９により音声信号に変換して、変換された音声信号をスピーカ１８から出力する機能を有する。測定結果通知プログラム１４ｃは、上記取得された測定データに基づいて音パターン記憶エリア１３ａから選択的に読み出された音パターンをスピーカ１８から出力する。
【００２０】
このように構成される酒気帯び検知器1を用いた測定結果収集システムの動作について説明する。図４は、このシステムの測定結果収集動作の手順とその処理内容を示すシーケンス図である。  
先ず、センタ装置３は、ステップＳ４ａにより、測定要求の電話を電話機２に向けて発信する。電話機２は、ステップＳ４ｂにおいて、公衆電話網ＴＮを介して上記測定要求の電話を着信する。これにより、センタ装置３と電話機２とが通話状態となる。
【００２１】
この状態で、センタ装置３は、ステップＳ４ｃにおいて、音声ガイダンスを出力し、電話機２を通じて被験者に対して測定を指示する。被験者は、電話機２から出力される音声ガイダンスに従って酒気帯び検知器1により測定操作を行う。まず、被験者は、酒気帯び検知器1の操作ボタン１６の長押しにより電源をオン状態にする。ステップＳ４ｄにおいて、酒気帯び検知器1のＣＰＵ１１は、この操作を受けて、ユーザＩ／Ｆ１６１により電源ランプ１７ｄを点灯させたのち、センサ制御プログラム１４ａを実行して、ガスセンサ１５に対し、測定準備ためのウォーミングアップ処理を行う。ウォーミングアップ処理では、例えば、周囲のアルコール濃度を測定するバックグランド測定が行われ、このウォーミングアップ処理が完了すると、ＣＰＵ１１は、ユーザＩ／Ｆ１６１によりＲｅａｄｙボタン１７ａを点灯させる。
【００２２】
次に、被験者は、Ｒｅａｄｙボタン１７ａの点灯を確認したのち、操作ボタン１６を短押しし、ガスセンサ１５に呼気を数秒間吹きかける。酒気帯び検知器1のＣＰＵ１１は、ステップＳ４ｅにおいて、上記呼気中に含まれるアルコール濃度をガスセンサ１５により測定し、この測定データをセンサＩ／Ｆ１５１によりを取り込んでデータメモリ１３に格納する。そして、格納された測定データをもとに上記測定が成功したか否かを判定する。この判定により、上記測定が失敗と判定された場合は、測定エラーランプ１７ｃを点灯させて再測定を指示する。この場合、ＣＰＵ１１は、再度ステップＳ４ｄに移行し、被験者から行われる測定操作の待ち状態となる。
【００２３】
一方、ステップＳ４ｅの判定において、測定が成功したと判定された場合は、ステップＳ４ｆに移行し、酒気帯び検知器1のＣＰＵ１１は、音声信号出力プログラム１４ｂを実行して、上記データメモリ１３に記憶された測定データを音声信号発生モジュール１９により音声信号に変換する。そして、ＣＰＵ１１は、ステップＳ４ｇにおいて、上記変換された音声信号を音声出力Ｉ／Ｆ１８１を介してスピーカ１８から拡声出力する。このとき、周囲の雑音を受けないように、電話機２の送話口にスピーカ１８をできるだけ近づけるようにするとよい。
【００２４】
上記ステップＳ４ｇにより、スピーカ１８から出力された音声信号は、ステップＳ４ｈにおいて、電話機２を通じて公衆回線網ＴＮを介してセンタ装置３により受信される。センタ装置３は、ステップＳ４ｉにおいて、受信した音声信号をもとに測定データを認識し、ステップＳ４ｊにより、認識された測定データをデータベース等に記憶する。そして、電話機２との通話を終了する。
【００２５】
一方、酒気帯び検知器1は、ステップＳ４ｋにおいて、上記データメモリ１３に記憶された測定データをもとに、例えば、アルコール未検出状態、酒帯び状態、酒酔い状態などの複数の状態に分類し、分類された状態を表す音パターン記憶エリア１３ａから読み出し、読み出された音パターンをスピーカ１８から出力する。
【００２６】
このように上記実施形態では、酒気帯び検知器1は、ガスセンサ１５と、スピーカ１８と、音声信号発生モジュール１９とを備える。酒気帯び検知器1のＣＰＵ１１は、操作ボタン１６から測定操作が入力されると、センサ制御プログラム１４ａによりガスセンサ１５において呼気中のアルコール濃度を測定し、この測定により得られた測定データを取得する。そして、ＣＰＵ１１は、音声信号出力プログラム１４ｂを実行して、音声信号発生モジュール１９により上記測定データを音声信号に変換し、変換された音声信号をスピーカ１８から拡声出力するものである。
【００２７】
したがって、この実施形態によれば、電話機２の機種、種別等に依存することなく、既存の電話機２を介して測定データを簡単な操作で管理センタに送信することが可能となる。例えば、携帯電話機にアルコールセンサを設けた従来の方式と比べた場合、この発明では、酒気帯び検知器１から測定データを音声信号により送信するように構成することで、既存の携帯電話機を改良することなく用いることができる。
【００２８】
さらに、上記実施形態では、複数の飲酒状態を表す音パターンを記憶する音パターン記憶エリア１３ａを備え、測定結果通知プログラム１４ｃにより、取得された測定データに該当する音パターンを選択的にスピーカ１８から出力するようにしている。このようにすると、単純に測定データを提示した場合と比べ、測定結果をアルコール未検出状態、酒気帯び状態、酒酔い状態のように確実に飲酒状態を認識させることができる。
【００２９】
また、センタ装置３が、上記電話機２との通話接続時に測定操作を指示する音声ガイダンスを出力するようにしている。これにより、被験者は、上記通知されるガイダンスにしたがって測定操作を行うことができるため、測定の失敗を低減させ、より効率的に測定結果を収集することが可能である。
【００３０】
なお、この発明は上記実施形態に限定されるものではない。例えば、上記実施形態ではガスセンサ１５を用いて酒気帯び検知器１を構成したが、ガスセンサ１５の替わりに例えば、疲労チェッカのような各種センサ、測定器が適用可能である。また、音声信号出力プログラム１４ｂによる音声信号の出力動作において、音声信号をスピーカ１８から複数回出力するように構成してもよい。このようにすると、例えば、周囲に多少の雑音がある場合でも、少ない操作で測定データをより確実に送信することが可能となる。
【００３１】
また、上記実施形態では、電話機２に携帯電話機を用いたが、音声通信が可能な電話機であればよく、固定電話機や構内電話機を用いてもよい。また、図４のステップＳ４ａにおいて、センタ装置３から電話機２に対して測定要求の電話を発信するようにしたが、反対に、測定開始時に電話機２からセンタ装置３に電話を発信するようにしてもよい。
【００３２】
その他、酒気帯び検知器１、電話機２、及びセンタ装置３の構成、また、測定結果収集システムの測定結果収集動作の手順とその処理内容についても、この発明の要旨を逸脱しない範囲で種々変形して実施できる。
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００３３】
【図１】この発明の一実施形態に係わる携帯型測定装置を利用した測定結果収集システムの概略図。
【図２】図1に示す酒気帯び検知器の概要図。
【図３】図１に示す酒気帯び検知器の機能構成を示すブロック図。
【図４】図1に示す測定結果収集システムの測定結果収集動作の手順とその処理内容を示すシーケンス図。
【符号の説明】
【００３４】
１…酒気帯び検知器、２…電話機、３…センタ装置、ＴＮ…公衆回線網、１５…ガスセンサ、１６…操作ボタン、１７ａ…Ｒｅａｄｙランプ、１７ｂ…測定完了ランプ、１７ｃ…測定エラーランプ、１７ｄ…電源ランプ、１８…スピーカ、１１…ＣＰＵ、１２…バス、１３…データメモリ、１４…プログラムメモリ、１４ａ…センサ制御プログラム、１４ｂ…音声信号出力プログラム、１４ｃ…測定結果通知プログラム、１５１…センサＩ／Ｄ、１６１…ユーザＩ／Ｆ、１８１…音声出力Ｉ／Ｆ、１９…音声信号発生モジュール。
【図１】
2006302016.tif 000003
【図２】
2006302016.tif 000004
【図３】
2006302016.tif 000005
【図４】
2006302016.tif 000006